(57)【要約】【課題】鏡筒構成部材によって光軸に平行に保持されたガイド部材に対してレンズ保持枠を組み付けることができない場合でも、組立性が良好なレンズ装置を提供する。【解決手段】レンズ装置は、レンズを保持するレンズ保持部材２〜４と、該レンズ保持部材の移動をガイドするガイド部材６ａ，６ｂと、レンズ保持部材及びガイド部材を収容する鏡筒本体を構成する部材であってガイド部材を保持する保持部５ｅ，５ｆを有する鏡筒構成部材５とを有する。保持部５ｅは、ガイド部材を光軸と平行な方向に延びる第１の状態に保持するための第１の保持部５ｅ−１と、該ガイド部材を光軸と平行な方向に対して特定角度をなす方向に延びる第２の状態に保持するための第２の保持部５ｅ−２とを有する。【選択図】図１０Ｂ
2008040345.tif 000002
【特許請求の範囲】
【請求項１】
レンズを保持したレンズ保持部材と、
該レンズ保持部材の移動をガイドするガイド部材と、
前記レンズ保持部材及び前記ガイド部材を収容する鏡筒本体を構成する部材であって前記ガイド部材を保持する保持部を有する鏡筒構成部材とを有し、
前記保持部は、前記ガイド部材を光軸と平行な方向に延びる第１の状態に保持するための第１の保持部と、該ガイド部材を光軸と平行な方向に対して特定角度をなす方向に延びる第２の状態に保持するための第２の保持部とを有することを特徴とするレンズ装置。
【請求項２】
前記鏡筒構成部材は、光軸に直交する方向に開口を有する部材であって、該開口を覆う他の鏡筒構成部材と組み合わされて前記鏡筒本体を構成し、
前記第２の保持部は、前記ガイド部材を前記開口に向かって延びる状態に保持することを特徴とする請求項１に記載のレンズ装置。
【請求項３】
前記第１及び第２の保持部はそれぞれ、その内部空間に前記ガイド部材が挿入されて該ガイド部材を保持し、
前記第２の保持部の内部空間は、前記ガイド部材を前記第２の状態から前記特定角度回動させることで該ガイド部材の前記第１の状態への移行を許容するように前記第１の保持部の内部空間と重複していることを特徴とする請求項２に記載のレンズ装置。
【請求項４】
前記第１の保持部は、前記第２の状態から前記第１の状態に回動した前記ガイド部材が光軸に平行な方向に移動することで、該ガイド部材を保持することを特徴とする請求項３に記載のレンズ装置。
【請求項５】
請求項１から４のいずれか１つに記載のレンズ装置を有することを特徴とする光学機器。
【発明の詳細な説明】
【技術分野】
【０００１】
本発明は、ビデオカメラ、デジタルカメラ、交換レンズ等の光学機器に用いられるレンズ装置に関する。
【背景技術】
【０００２】
光学機器のレンズ鏡筒においては、組立性の向上とレンズを光軸方向にガイドするガイド部材（ガイドバー）を安定して保持することを目的として、例えば特許文献１にて開示された構成が採用される場合がある。
【０００３】
特許文献１にて開示されたレンズ鏡筒は、光軸に沿って開口した側面部を有する前部鏡筒と、光軸に沿って開口した側面部を有する後部鏡筒とを有する。そして、前部鏡筒と後部鏡筒との夫々の開口した側面部同士を組み合わせて内部空間が密閉された鏡筒本体を構成する。該鏡筒本体の内部には、移動レンズや固定レンズを保持する複数のレンズ保持枠がガイドバーによって支持された状態で収容される。
【０００４】
このレンズ鏡筒を組み立てる場合には、まずガイドバーの後端部を後部鏡筒の後部に形成された保持穴に挿入して、ガイドバーを光軸方向に延びた状態で保持させる。次に、ガイドバーに対して光軸方向前側から複数のレンズ保持枠を組み込む。そして、このようにガイドバー及びレンズ保持枠が組み付けられた後部鏡筒を、前部鏡筒に光軸直交方向から組み付ける。この際、後部鏡筒により保持されたガイドバー及びレンズ保持枠は、前部鏡筒の側面開口を通して前部鏡筒の内側に挿入される。最後に、後部鏡筒を前方に若干スライドさせてガイドバーの前端部を前部鏡筒に形成された保持穴に挿入し、ガイドバーを精度良く光軸に平行な状態に保持させる。
【特許文献１】特開２００２−１６９０７４号公報（段落００３４〜００５３、図７等）
【発明の開示】
【発明が解決しようとする課題】
【０００５】
上記特許文献１のレンズ鏡筒では、半円筒形状の後部鏡筒について、側面からの外圧に対する強度不足が懸念される。このため、この後部鏡筒の内周に周方向に延びるリブを設けて該後部鏡筒の剛性及び強度の向上を図ることが考えられる。
【０００６】
ただし、このように後部鏡筒にリブを設けると、上記のような手順でレンズ鏡筒を組み立てることができなくなる。これは、ガイドバーを後部鏡筒に保持させた状態で該ガイドバーにレンズ保持枠を光軸方向前方から組み付けようとしても、リブがレンズ保持枠に干渉して組み付けることができないためである。
【０００７】
この場合、ガイドバーに対して予めレンズ保持枠を組み付けておき、このガイドバーとレンズ保持枠のアセンブリを後部鏡筒に対して組み付け、その後は上記と同様に前部鏡筒に組み付けるという組立手順を選択することができる。
【０００８】
しかしながら、この手順では、ガイドバーとレンズ保持枠とをアセンブリとする作業や該アセンブリを後部鏡筒に対して組み付ける作業といった特許文献１のレンズ鏡筒にはなかった作業が必要となるので、レンズ鏡筒の組立性が悪化する。また、ガイドバーに対してレンズ保持枠を組み付けるときやガイドバーとレンズ保持枠のアセンブリを後部鏡筒に組み込むときにガイドバーを保持しておく専用の工具が必要となる。
【０００９】
本発明は、鏡筒構成部材によって光軸に平行に保持されたガイド部材に対してレンズ保持枠を組み付けることができない場合でも、組立性が良好であり、使用する工具も少なくて済むレンズ装置及びこれを備えた光学機器を提供することを目的の１つとしている。
【課題を解決するための手段】
【００１０】
本発明の一側面としてのレンズ装置は、レンズを保持するレンズ保持部材と、該レンズ保持部材の移動をガイドするガイド部材と、レンズ保持部材及びガイド部材を収容する鏡筒本体を構成する部材であってガイド部材を保持する保持部を有する鏡筒構成部材とを有する。そして、保持部は、ガイド部材を光軸と平行な方向に延びる第１の状態に保持するための第１の保持部と、該ガイド部材を光軸と平行な方向に対して特定角度をなす方向に延びる第２の状態に保持するための第２の保持部とを有することを特徴とする。
【００１１】
なお、上記レンズ装置を備えた光学機器も本発明の他の側面を構成する。
【発明の効果】
【００１２】
本発明によれば、鏡筒構成部材に設けられた保持部のうち第２の保持部にガイド部材を保持させることで、ガイド部材を光軸と平行な方向に対して起き上がった第２の状態で保持することができる。したがって、容易にガイド部材にレンズ保持部材を組み付けることができる。そして、レンズ保持部材が組み付けられたガイド部材を、光軸と平行な方向に延びる第１の状態に移行させる（特定角度回動させる）ことにより、ガイド部材及びレンズ保持部材を鏡筒構成部材に対して適正に組み付けられる。したがって、鏡筒構成部材により光軸に平行な状態に保持されたガイド部材に対してレンズ保持部材を組み付けることができない場合でも、良好な組立性を確保することができる。また、ガイド部材を保持しておく専用の工具も不要とすることができる。
【発明を実施するための最良の形態】
【００１３】
以下、本発明の実施例について図面を参照しながら説明する。
【実施例１】
【００１４】
まず、本発明の実施例であるレンズ装置の基本構成を図１及び図２を用いて説明する。図１には上記レンズ装置の縦断面を、図２には該レンズ装置を分解して示している。
【００１５】
これらの図において、ＡＸＬは該レンズ装置の光軸である。Ｌ１は最も物体側の第１レンズユニット、Ｌ２は光軸方向に移動して変倍を行う第２レンズユニットである。Ｌ３は固定の第３レンズユニット、Ｌ４は光軸方向に移動することで変倍に伴う焦点面変動の補正と焦点合わせとを行う第４レンズユニットである。
【００１６】
１は第１レンズユニットＬ１を保持する第１レンズ鏡筒（請求項にいう他の鏡筒構成部材）であり、前端部に第１レンズユニットＬ１を保持する部分を有し、その後方には箱形状に形成された部分を有する。該箱形状に形成された部分は、光軸に直交する方向（図２における上方）に面する開口１ｐと後方に面する開口１ｑとが形成されている。
【００１７】
第１レンズ鏡筒１の底面には、遮光線１ａが形成されており、該底面での光の反射を抑えてゴーストの発生を防止している。
【００１８】
５は、後述するガイドバーを収容する後部鏡筒（請求項にいう鏡筒構成部材）であり、光軸直交方向（図２における下方）に面する開口５ｐを有する半円筒形状の上蓋部を有する。上蓋部の天井面には、図１に示すように、遮光線５ｏが形成されており、該天井面での光の反射を抑えてゴーストの発生を防止している。後部鏡筒５（上蓋部）の後端には、後端壁部５ｌが形成されている。後端壁部５ｌには、ローパスフィルターを保持するフィルタ保持部５ｍと、ＣＣＤセンサやＣＭＯＳセンサ等の撮像素子を保持する撮像素子保持部５ｎとが形成されている。５ｋはローパスフィルター及び撮像素子への不要光の入射を遮る遮光部である。
【００１９】
６ａ、６ｂは光軸と平行に延びて、その両端を第１レンズ鏡筒１と後部鏡筒５により保持されるガイドバー（ガイド部材）である。なお、本実施例にいう「光軸と平行」とは、完全に平行である場合だけでなく、許容誤差等の範囲で平行からずれているが平行とみなせる場合を含む。「光軸に直交する」も同様である。
【００２０】
ガイドバー６ａには、第２レンズユニットＬ２を保持する第２レンズ保持枠（レンズ保持部材）２に形成されたスリーブ部と第４レンズユニットＬ４を保持する第４レンズ保持枠（レンズ保持部材）４に形成されたＵ溝部とがそれぞれ移動可能に係合している。一方、ガイドバー６ｂには、第２レンズ保持枠２に形成されたＵ溝部と第４レンズ保持枠４に形成されたスリーブ部とがそれぞれ移動可能に係合している。
【００２１】
第２レンズ保持枠２は、ガイドバー６ａによって光軸方向にガイドされるとともに、ガイドバー６ｂとＵ溝部との係合によりガイドバー６ａ回りでの回転が阻止される。また、第４レンズ保持枠４は、ガイドバー６ｂによって光軸方向にガイドされるとともに、ガイドバー６ａとＵ溝部との係合によりガイドバー６ｂ回りでの回転が阻止される。
【００２２】
第４レンズ保持枠４には、ラック１２が光軸直交面内で回動可能に取り付けられている。このラック１２は、フォーカスモータ７のスクリュウ軸７ａに噛み合う。これにより、フォーカスモータ７が作動してスクリュウ軸７ａが回転すると、第４レンズ保持枠４は光軸方向に駆動される。ラック１２は、不図示のラックバネによって、第４レンズ保持枠４の光軸方向端面に向けて付勢されているとともに、スクリュウ軸７ａに噛み合う方向に付勢されている。これにより、第４レンズ保持枠４、ラック１２及びスクリュウ軸７ａ間でのガタが小さくなる。第４レンズ保持枠４（第４レンズユニットＬ４）の光軸方向に対する傾き（倒れ）は、スリーブ部を十分な長さでガイドバー６ｂに係合させることで防止される。
【００２３】
一方、第２レンズ保持枠２にも、不図示のラックが光軸直交面内で回動可能に取り付けられており、このラックは、ズームモータ８のスクリュウ軸８ａに噛み合う。これにより、ズームモータ８が作動してスクリュウ軸８ａが回転すると、第２レンズ保持枠２は光軸方向に駆動される。ラックは、不図示のラックバネによって、第２レンズ保持枠２の光軸方向端面に向けて付勢されているとともに、スクリュウ軸８ａに噛み合う方向に付勢されている。これにより、第２レンズ保持枠２、ラック及びスクリュウ軸８ａ間でのガタが小さくなる。第２レンズ保持枠２（第２レンズユニットＬ２）の光軸方向に対する傾き（倒れ）は、スリーブ部を十分な長さでガイドバー６ａに係合させることで防止される。
【００２４】
３は第３レンズユニットＬ３を保持する第３レンズ保持枠である。該第３レンズ保持枠３は、ガイドバー６ａに係合する基準位置決め用穴部と、ガイドバー６ｂに係合する回転止め用の穴部（長穴部）とを有する。これらの穴部とガイドバー６ａ，６ｂとの係合により、第３レンズ保持枠３、つまりは第３レンズユニットＬ３の光軸位置合わせを行うことができる。
【００２５】
ここで、第３レンズ保持枠３は、第２レンズ保持枠２と第４レンズ保持枠４との間に配置されているため、第３レンズ保持枠３のガイドバー６ａとの係合長を長くすることが難しい。このため、本実施例では、第３レンズ保持枠３における周方向３個所に第１レンズ鏡筒１に係合する係止部を設けて該第３レンズ保持枠３（第３レンズユニットＬ３）の光軸方向に対する傾き（倒れ）が阻止されている。
【００２６】
フォーカスモータ７及びズームモータ８はそれぞれ、ステッピングモータ等により構成されている。これらのモータ７，８はそれぞれ、板金により製作されたモータ保持板により保持されて、不図示のビスにより第１レンズ鏡筒１に固定される。
【００２７】
９は、不図示のビスにより後部鏡筒５に固定される光量調整ユニットである。光量調節ユニット９は、絞り羽根９ａを開閉して光が通過する開口の径を変化させることで光量を調整する。
【００２８】
１０，１１はフォトインタラプタであり、それぞれ補強板１３，１４に接着されて該補強板１３，１４を介して不図示のビスにより第１レンズ鏡筒１に固定される。フォトインタラプタ１０，１１はそれぞれ、第４及び第２レンズ保持枠４，２が光軸方向に移動して、該レンズ保持枠に形成された遮光部がフォトインタラプタの投光部と受光部との間に出入りすることにより、遮光状態と受光状態とに切り換わる。そして、この切り換わりを検出することにより、第４及び第２レンズ保持枠４，２がそれぞれ基準位置に位置しているか否かを検出することができる。
【００２９】
次に、本実施例のレンズ鏡筒（鏡筒本体）における第１レンズ鏡筒１と後部鏡筒５の構成について説明する。
【００３０】
図３は第１レンズ鏡筒１の斜視図、図４は第１レンズ鏡筒１を後方より見た図である。図３において、矢印は該第１レンズ鏡筒１を成型するための分割型のスライド方向を示している。
【００３１】
図４において、１ｂは後部鏡筒５との位置決めを行うための位置決め穴部、１ｃ，１ｄは後部鏡筒５との位置決めを行うための位置決めピンである。１ｅ及び１ｆは、ガイドバー６ａ，６ｂの前端部を保持するための保持穴部であり、第２レンズユニットＬ２、第４レンズユニットＬ４および第３レンズユニットＬ３の光軸位置合わせをするための基準位置でもある。
【００３２】
光学性能を保証する上では、保持穴部１ｅ，１ｆ、位置決め穴部１ｂ及び位置決めピン１ｃ，１ｄの相対位置関係を精度良く設定することが必要である。そこで、本実施例では、保持穴部１ｅ，１ｆ、位置決め穴部１ｂ及び位置決めピン１ｃ，１ｄを同じ型を用いた同じ方向（図３に示す光軸方向後方Ｒ）の型スライドにより形成する。また、保持穴部１ｅ，１ｆ、位置決め穴部１ｂ及び位置決めピン１ｃ，１ｄをいずれも円筒形状の係合面（内周面又は外周面）を有するように形成する。
【００３３】
ガイドバーを保持する保持穴部を光軸直交方向からのスライド型により形成すると、該スライド型と位置決め穴部や位置決めピンを形成する型とで型のスライド方向が異なる。このため、保持穴部と位置決め穴部及び位置決めピンとの相対位置精度が低下するおそれがある。しかし、本実施例のような成型方法によれば、保持穴部と位置決め穴部及び位置決めピンとの相対位置精度を確実に高くすることができる。
【００３４】
１ｇ，１ｉは後部鏡筒５との当接面、１ｈ，１ｊは後部鏡筒５との結合に使用するビスの下穴である。
【００３５】
図５は後部鏡筒５の斜視図、図６は後部鏡筒５を前方から見た図である。図５において、矢印は該後部鏡筒５を成型するための分割型のスライド方向を示している。
【００３６】
５ａは上蓋部の内周側前端部に、周方向に延びるように形成されたリブであり、上蓋部の強度を高めるために設けられている。リブ５ａを形成するために、図５に示すように上下方向の型分割を行う。このため、第１レンズ鏡筒１と同様に、前述したように、上蓋部の内面（天井面）に遮光線５ｏを形成することが可能となる。
【００３７】
５ｂは第１レンズ鏡筒１の位置決め穴部１ｂに挿入されて第１レンズ鏡筒１との位置決めを行うための位置決めピンである。５ｃ，５ｄは第１レンズ鏡筒１の位置決めピン１ｃ，１ｄが挿入されて第１レンズ鏡筒１との位置決めを行うための位置決め穴部である。５ｅ，５ｆはガイドバー６ａ，６ｂの後端部を保持するための保持穴部であり、第２レンズユニットＬ２，第４レンズユニットＬ４及び第３レンズユニットＬ３の光軸位置合わせをするための基準位置でもある。
【００３８】
第１レンズ鏡筒１と同様に、光学性能を保証する上では、保持穴部５ｅ，５ｆ、位置決めピン５ｂ及び位置決め穴部５ｃ，５ｄの相対位置関係を精度良く設定することが必要である。そこで、本実施例では、保持穴部５ｅ，５ｆ、位置決めピン５ｂ及び位置決め穴部５ｃ，５ｄを同じ型を用いた同じ方向（図５に示す光軸方向前方Ｆ）の型スライドにより形成する。また、位置決めピン５ｂ、位置決め穴部５ｃ，５ｄ及び保持穴部５ｅ，５ｆをいずれも円筒形状の係合面（外周面又は内周面）を有するように形成する。
【００３９】
５ｇ，５ｉは第１レンズ鏡筒１との当接面、５ｈ，５ｊは第１レンズ鏡筒１との固定に使用するビスの貫通穴である。
【００４０】
次に、本実施例の後部鏡筒５に形成された保持穴部５ｅ，５ｆの構造について、保持穴部５ｅ側を代表として説明する。
【００４１】
図７には、図６に示した後部鏡筒５における保持穴部５ｅの周辺部分を、Ａ−Ａ線（光軸に平行な面）で切断したときの断面を示している。また、図８には図７のＢ−Ｂ線での断面（光軸方向から見た断面）を、図９Ａには図７のＣ−Ｃ線での断面（光軸方向から見た断面）をそれぞれ示している。
【００４２】
これらの図から分かるように、保持穴部５ｅは、その最奥部に、光軸ＡＸＬと平行な方向に延びて前方に向かって開口する円筒形状の第１の保持部５ｅ−１を有する。また、保持穴部５ｅは、第１の保持部５ｅ−１の中間位置から前側に形成された長溝部５ｅ−２を有する。長溝部５ｅ−２はその上部が、第１の保持部５ｅ−１よりも上側に延びている。そして、長溝部５ｅ−２における第１の保持部５ｅ−１よりも上側に延び出た部分の後端には、斜め下向きの端面５ｅ−４が形成されている。さらに、長溝部５ｅ−２の下側には、斜め下方に延びる傾斜面５ｅ−３が形成されている。これら長溝部５ｅ−２，端面５ｅ−４及び傾斜面５ｅ−３を以下まとめて第２の保持部５ｅ−５という。
【００４３】
第１の保持部５ｅ−１には、図１０Ａに示すように、ガイドバー６ａの後端部が挿入される。第１の保持部５ｅ−１のうち中間位置から後側の部分の内周面（円筒面）は、ガイドバー６ａの後端部（円筒面）とほぼ全周において当接する。これにより、ガイドバー６ａは、光軸ＡＸＬに平行に延びた状態で後部鏡筒５により保持される。
【００４４】
第２の保持部５ｅ−５には、図１０Ｂに示すように、ガイドバー６ａの後端部が挿入される。このとき、第２の保持部５ｅ−５に挿入されたガイドバー６ａの後端部（円筒面）のうち両側面部分は、長溝部５ｅ−２の両内側面によって挟み込まれる。また、ガイドバー６ａの後端部の下面は、傾斜面５ｅ−３に当接する。なお、傾斜面５ｅ−３は、ガイドバー６ａの円筒面に沿う凹曲面として形成されている（図６参照）。さらに、ガイドバー６ａの後端面は、端面５ｅ−４に突き当たる。これにより、ガイドバー６ａは、光軸ＡＸＬに平行な方向に対して下向き、すなわち後部鏡筒５の下向きの開口５ｐに向かう方向に特定角度Ｄをなす方向に延びた状態で後部鏡筒５により保持される。
【００４５】
なお、長溝部５ｅ−２の内側面間の幅は、ガイドバー６ａを安定してこの状態に保持することができるよう、ガイドバー６ａが圧入される寸法に設定することが好ましい。
【００４６】
ここで、図７に示すように、第２の保持部５ｅ−５の内部空間（図１０Ｂの状態においてガイドバー６ａが挿入される空間）は、第１の保持部５ｅ−１の内部空間（図１０Ａの状態においてガイドバー６ａが挿入される空間）と重複している。したがって、後述するように、図１０Ｂの状態にて保持されているガイドバー６ａを上方に特定角度Ｄだけ回動させるだけで、ガイドバー６ａを光軸ＡＸＬに平行な状態に移行させることができる。このときの回動は、端面５ｅ−４によってガイドされる。
【００４７】
但し、ガイドバー６ａを上方に特定角度Ｄだけ回動させただけでは、ガイドバー６ａの後端部の上方には長溝部５ｅ−２が延びているので、ガイドバー６ａの後端部ががたついてしまう。このため、ガイドバー６ａを光軸方向後方に移動させ、図１０Ａに示すように、ガイドバー６ａの後端部を第１の保持部５ｅ−１の最奥部まで挿入する。これにより、ガイドバー６ａを第１の保持部５ｅ−１によりがたなく保持させることができる。
【００４８】
なお、図９Ａでは、第１の保持部５ｅ−１と長溝部５ｅ−２との重複部分の下側半分はガイドバー６ａの下側半円筒面に沿う半円筒面として形成されているが、図９Ｂに示すように、ガイドバー６ａの下側の半円筒面に外接する複数の平面により形成してもよい。さらに、この部分の形状は、これらに限定されず、他の形状であってもよい。
【００４９】
また、端面５ｅ−４は、第２の保持部５ｅ−４に挿入されたガイドバー６ａの後端面の突き当て面及びガイドバー６ａを回動させるときのガイド面としての役割を有するが、必ずしも必要な面ではなく、なくしてもよい。
【００５０】
また、もう一方のガイドバー６ｂの後端部を保持する保持穴部５ｆは、保持穴部５ｅと同じ構成を有する。
【００５１】
本実施例のレンズ鏡筒を組み立てる場合は、まず、図１０Ｂに示すように、保持穴部５ｅ，５ｆの第２の保持部（５ｅ−５）にガイドバー６ａ，６ｂを挿入する。これにより、図１１Ｂに示すように、ガイドバー６ａ，６ｂは後部鏡筒５に対して開口５ｐ側に起き上がった状態で保持される。そして、この状態のガイドバー６ａ，６ｂに対して、第４、第３及び第２レンズ保持枠４，３，２をこの順で組み込む。
【００５２】
ガイドバー６ａ，６ｂに対する全てのレンズ保持枠２〜４の組み込みが終了すると、ガイドバー６ａ，６ｂを第２の保持部により保持された状態から光軸ＡＸＬに平行な状態になるまで上述した特定角度Ｄだけ後部鏡筒５に対して回動させる。そして、前述したように、ガイドバー６ａ，６ｂを第１の保持部（５ｅ−１）の最奥部まで押し込む。これにより、ガイドバー６ａ，６ｂとレンズ保持枠２〜４からなるアセンブリが、後部鏡筒５に対して本来の状態で組み付けられる。
【００５３】
この後は、後部鏡筒５を、第１レンズ鏡筒１に対して光軸直交方向（開口１ｐ側）から組み付ける。この際、後部鏡筒５により保持されたガイドバー６ａ，６ｂとレンズ保持枠２〜４からなるアセンブリは、開口１ｐを通して該第１レンズ鏡筒１の内側に挿入される。次に、後部鏡筒５を前方に若干スライドさせて、ガイドバー６ａ，６ｂの前端部を第１レンズ鏡筒１に形成された保持穴部１ｅ，１ｆに挿入して保持させる。
【００５４】
この後、第１レンズ鏡筒１と後部鏡筒５とをビスにより結合させ、モータ７，８、光量調節ユニット９やその他の部品を取り付けることでレンズ鏡筒の基本的な組立てが完了する。
【００５５】
図１１Ａに示すように、最初からガイドバー６ａ，６ｂを光軸と平行な状態で後部鏡筒５に保持させてしまうと、レンズ保持枠２〜４とリブ５ａとが干渉するため、これらをガイドバー６ａ，６ｂに組み込むことができない。
【００５６】
しかし、上述した本実施例の組立て手順を用いることにより、リブ５ａの存在にかかわらず図１１Ａの状態を得ることができる。
【００５７】
このように、本実施例によれば、ガイドバー６ａ，６ｂを光軸と平行な方向に対して特定角度Ｄをなす状態で後部鏡筒５に保持させることができ、この状態でガイドバー６ａ，６ｂに対してレンズ保持枠２〜４を容易に組み付けることができる。そして、ガイドバー６ａ，６ｂを特定角度Ｄだけ回動させて、その後若干後部鏡筒５に対して後方にスライドさせるだけで、レンズ保持枠２〜４が組み付けられたガイドバー６ａ，６ｂを光軸に平行な状態にて後部鏡筒５に保持させることができる。したがって、組立性が良く、組立て途中でガイドバー６ａ，６ｂを保持するための専用の工具が不要なレンズ鏡筒を実現することができる。
【００５８】
なお、本実施例では、後部鏡筒５に第１及び第２の保持部を有する保持穴部を形成した場合について説明したが、第１レンズ鏡筒１に同様の保持穴部を設けてもよい。
【００５９】
図１２には、本実施例のレンズ鏡筒を用いて構成した光学機器としての撮像装置（ビデオカメラ）の電気的構成を示す。なお、この図中において、上述した構成要素と同じものには、同じ符号を付して説明に代える。
【００６０】
２２１は後部鏡筒５により保持される撮像素子である。２２４は光量調整ユニット９に備えられている絞りアクチュエータであり、、絞り羽根９ａを駆動する。
【００６１】
２２５はズームエンコーダ、２２７はフォーカスエンコーダである。これらのエンコーダ２２５，２２６はそれぞれ、第２レンズユニットＬ２，第４レンズユニットＬ４の光軸方向での絶対位置を検出する。本実施例のように、フォーカスモータ７及びズームモータ８としてステッピングモータを用いる場合には、前述したフォトインタラプタ１０，１１により基準位置を検出する。そして、その後ステッピングモータに与える駆動パルス数をカウントすることによりレンズユニットの絶対位置を検出することができる。
【００６２】
但し、フォーカスモータ７及びズームモータ８としては、ステッピングモータ以外のアクチュエータ、例えばＤＣモータやボイスコイルモータ、振動型モータ、振動型リニアアクチュエータを用いてもよい。ＤＣモータを用いる場合には、エンコーダとして、ボリューム等の絶対位置エンコーダや磁気式エンコーダを用いることができる。
【００６３】
２２６は絞りエンコーダであり、絞りアクチュエータの内部にホール素子を配置し、ローターとステータの回転位置関係を検出する方式のもの等を用いることができる。
【００６４】
２２８はカメラ信号処理回路であり、撮像素子２２１の出力に対して特定の増幅やガンマ補正などを施す。これらの特定の処理を受けた映像信号のコントラスト信号はＡＥゲート２２９、ＡＦゲート２３０を通過する。すなわち、撮影範囲のうち露出決定及びピント合わせのために最適な信号取り出し範囲がこれらのゲート２２９，２３０で設定される。これらのゲート２２９，２３０による信号取り出し範囲は可変としてもよいし、複数設けてもよい。
【００６５】
２３１はＡＦ信号処理回路であり、映像信号の高周波成分に関する１又は複数のＡＦ評価値信号を生成する。２３３はズームスイッチであり、その操作に応じたズーム信号を出力する。
【００６６】
２３４はズームトラッキングメモリであり、変倍に際して被写体距離と第２レンズユニットＬ２の位置に応じた第４レンズユニットＬ４の像面変動補正位置データを記憶している。なお、ズームトラッキングメモリ２３４を後述するＣＰＵ２３２内に設けてもよい。
【００６７】
２３２は、撮像装置全体の制御を司るコントローラとしてのＣＰＵである。
【００６８】
ズームスイッチ２３３が操作されてズーム信号がＣＰＵ２３２に入力されると、ＣＰＵ２３２は、ズームモータ８を制御して第２レンズユニットＬ２を移動させる。これと同時に、ズームトラッキングメモリ２３４のデータに基づいて第４レンズユニットＬ４の像面変動補正位置を算出し、フォーカスモータ７を制御して第４レンズユニットＬ４をその像面変動補正位置に移動させる。
【００６９】
また、オートフォーカス（ＡＦ）では、ＣＰＵ２３２はＡＦ信号処理回路２３１からのＡＦ評価値信号がピークとなるようにフォーカスモータ７を制御して第４レンズユニットＬ４を移動させる。
【００７０】
さらに、適正露出を得るために、ＣＰＵ２３２は、ＡＥゲート２２９を通過したＹ信号の出力の平均値が特定値となるように、絞りアクチュエータ２２４を制御して光量調整ユニット９の開口径をコントロールする。
【００７１】
なお、図１２では、ビデオカメラについて説明したが、本発明のレンズ装置は、デジタルスチルカメラやフィルムカメラ、交換レンズ等、他の光学機器にも適用することができる。
【００７２】
また、図１〜図１１Ｂに示したレンズ鏡筒の構成は例にすぎず、請求項の示す範囲において種々の変形や変更が可能である。
【図面の簡単な説明】
【００７３】
【図１】本発明の実施例であるレンズ鏡筒の断面図。
【図２】実施例のレンズ鏡筒の分解斜視図。
【図３】実施例のレンズ鏡筒を構成する第１レンズ鏡筒の斜視図。
【図４】図３に示した第１レンズ鏡筒の背面図。
【図５】実施例のレンズ鏡筒を構成する後部鏡筒の斜視図。
【図６】図５に示した後部鏡筒の正面図。
【図７】図６に示した後部鏡筒における保持穴部をＡ−Ａ線で切断したときの断面図。
【図８】図７の保持穴部をＢ−Ｂ線で切断した断面図。
【図９Ａ】図７の保持穴部をＣ−Ｃ線で切断した断面図。
【図９Ｂ】図９Ａに示した保持穴部の変形例を示す断面図。
【図１０Ａ】実施例における第１の保持部にガイドバーを保持させた状態を示す断面図。
【図１０Ｂ】実施例における第２の保持部にガイドバーを保持させた状態を示す断面図。
【図１１Ａ】実施例における第１の保持部にガイドバーを保持させた後部鏡筒全体を示す斜視図。
【図１１Ｂ】実施例における第２の保持部にガイドバーを保持させた後部鏡筒全体を示す斜視図。
【図１２】実施例のレンズ鏡筒を搭載したビデオカメラの電気回路構成を示すブロック図。
【符号の説明】
【００７４】
Ｌ１  第１レンズユニット
Ｌ２  第２レンズユニット
Ｌ３  第３レンズユニット
Ｌ４  第４レンズユニット
１  第１レンズ鏡筒
２  第２レンズ保持枠
３  第３レンズ保持枠
４  第４レンズ保持枠
５  後部鏡筒
５ａ  リブ
５ｅ、５ｆ  保持穴部
５ｅ−１  第１の保持部
５ｅ−５  第２の保持部
６ａ，６ｂ  ガイドバー
【図１１Ｂ】
2008040345.tif 000003
【図１】
2008040345.tif 000004
【図２】
2008040345.tif 000005
【図３】
2008040345.tif 000006
【図４】
2008040345.tif 000007
【図５】
2008040345.tif 000008
【図６】
2008040345.tif 000009
【図７】
2008040345.tif 000010
【図８】
2008040345.tif 000011
【図９Ａ】
2008040345.tif 000012
【図９Ｂ】
2008040345.tif 000013
【図１０Ａ】
2008040345.tif 000014
【図１０Ｂ】
2008040345.tif 000015
【図１１Ａ】
2008040345.tif 000016
【図１２】
2008040345.tif 000017